Podtech/llm-jp-corpus-v4-ja_patent huggingface dataset:
(57)【要約】【課題】浴槽内の水位の変化に関わらず、幼児を安全に座らせることができる浴槽内で使用可能な入浴用椅子を提供する。【解決手段】浮力をえられる素材で構成された幼児を座らせるサポートシートにスライドユニットを備えることにより、浴槽内の水位の変化に応じてサポートシートが浮沈するため、幼児の安全性を確保できた。【特許請求の範囲】
【請求項１】
浮力をえられる素材で構成された幼児を座らせるサポートシートにスライドユニットを備えることにより、浴槽内の水位の変化に対応することを特徴とした幼児用の入浴用椅子。
【発明の詳細な説明】
【０００１】
【産業上の利用分野】
本発明は、両親等が乳幼児と入浴する際に安全な専用シートに座らせ使用するものであり、水位の変化に応じてシートが浮沈する入浴用椅子に関するものである。
【０００２】
【従来の技術】
従来より、風呂桶の底辺に固定する椅子、または浴槽の縁にひっかける形態の水位の変化に対応できない椅子があった。
【０００３】
【発明が解決しようとする課題】
従来の入浴用椅子には次のような欠点があった。
（イ）浴槽内の水位を常に一定に保たなければ充分な入浴効果がえられない。
（ロ）浴槽内の水位が高くなった際には幼児の安全性が脅かされる。
（ハ）逆に低くなった場合は充分に入浴できない。
本発明は以上の欠点を解決するためになされたものである。
【０００４】
【課題を解決するための手段】
前述の課題を解決するために、本発明では浮力をえられる素材で構成された幼児を座らせるサポートシートにスライドユニットを備えることにより、浴槽内の水位の変化に対応することを特徴とした。
【０００５】
【実施例】
【０００６】
以下、本発明の実施例について図面を参照して説明すると、まず本体フレーム４を浴槽の縁にかけ、固定ハンドル５により浴槽に固定する。浴槽の保護のために保護カバー３、クッションである６，７を取り付けた。
【０００７】
浴槽への取り付け後、乳幼児をサポートシート１４に座らせる。
【０００８】
サポートシート１４は浮力をえられる浮力体１２とシートフレーム１３で構成されており、ヒンジ１０を介してスライドユニット１１に取り付けられ、スライドユニット１１は本体フレームに取り付けられている。
【０００９】
スライドユニット１１は水位の変化に応じて浮沈し、湯量の変化があっても乳幼児の安全性を確保できる。
【００１０】
【発明の効果】
本発明は、以上説明した形態で実施され、以下に記載するような効果を奏する。
（イ）湯量の調整をしなくてよい
（ロ）水位の変化に応じてシートが浮沈するので、急激な水位の変化が起きても安全性が確保できる。
（ハ）シートのサイズの変更により、乳幼児用のみでなく、介護用としても使用可能である。
【００１１】
【図面の簡単な説明】
【図１】本発明の全体を示す斜視図
【００１２】
【符号の説明】
１　　接継バーＡ
２　　接継バーＢ
３　　保護カバー
４　　本体フレーム
５　　固定ハンドル
６　　クッションＡ
７　　クッションＢ
８　　エンドキャップＡ
９　　エンドキャップＢ
１０　ヒンジ
１１　スライドユニット
１２　浮力体
１３　シートフレーム
１４　サポートシート
【図１】
2004081788.tif 000002
(57)【要約】【課　題】トイレットペーパーのロール紙をホルダー側面の挿入口より円錐状筒状に挿着し、スイッチボタンを押して自動回転によりくり出されるペーパーを長短自在に山形状刻み歯にあててカットする自動くり出しペーパーカットホルダーを提供する。【解決手段】ホルダー（１）端部内面にモーターボックス（２）とモーターボックス（２）上部ホルダー表面にスイッチボタン（３）を設け、モーターボックス（２）のモーター回転軸に円錐状筒体（４）を固着する。そしてホルダー側面にロール紙挿入口（５）を設けホルダー前面下部に山形状刻み歯（６）を設ける。【選択図】　　図１
2004081785.tif 000002
【特許請求の範囲】
【請求項１】
イ．ホルダー（１）端部内面にモーターボックス（２）と、モーターボックス（２）上部ホルダー表面にスイッチボタン（３）を設ける。
ロ．モーターボックス（２）のモーター回転軸に円錐状筒体４を固着し、ホルダー側面にロール紙挿入口（５）を設ける。
ハ．ホルダー前面下部に山形状刻み歯（６）を設ける。
以上の構成よりなるトイレットペーパーの自動くり出しカットホルダー。
【発明の詳細な説明】
【０００１】
【発明の属する技術分野】
この発明はトイレットペーパーのロール紙を、ホルダー側面のロール紙挿入口より円錐状筒体に挿着し、カット時はスイッチボタンを押して自動的にくり出されるペーパーを長短自在に山形状刻み歯にあててカットするトイレットペーパーのカットホルダーに関するものである。
【０００２】
【従来の技術】
従来、トイレットペーパーホルダーでのロール紙装着は、ホルダーより回転軸をとり出しロール紙の軸穴にさしこみ装着し、カット時はペーパーの引き出しをくり返し、カバーを押えてカットしていた。
【０００３】
【発明が解決しようとする課題】
これは次のような欠点があった。
ロール紙の装着は補充ごとにホルダーから回転軸をとり出さねば装着できず、ペーパーカットは切り口を探しペーパーの引き出しをくり返しカバーを押えねばカットできなかった。
そのため片手不自由な人にはもどかしく健常者にとっても煩しいペーパーカットであった。本発明は以上の欠点を解決するためになされたものである。
【０００４】
【課題を解決するための手段】
ホルダー（１）の端部内面にモーターボックス（２）とその上部ホルダー表面にスイッチボタン（３）を設け、モーターボックス（２）のモーター回転軸に円錐状筒体（４）を固着する。そしてホルダー側面にロール紙挿入口（５）を設け、ホルダー前面下部に山形状刻み歯（６）を設ける。
本発明は以上の構成よりなるトイレットペーパーの自動くり出しカットホルダーである。
【０００５】
【発明の実施の形態】
以下本発明の実施の形態について説明する。
（イ）ホルダー（１）片側の端部内面にモーターボックス（２）とモーターボックス（２）上部ホルダー表面にスイッチボタン（３）を設ける。
（ロ）モーターボックス（２）のモーター回転軸にロール紙回転用の円錐状筒体（４）を固着させ、円錐状筒体（４）の先端ホルダー側面にロール紙挿入口（５）を設け、ホルダー前面下部に山形状刻み歯（６）を設ける。
本発明は以上のような構造でこれを使用するときは、ロール紙装着はロール紙挿入口（５）より円錐状筒体（４）へ挿着し、ペーパーカットはスイッチボタン（３）を押し自動回転によりくり出されるペーパーを必要長さで止め、山形状刻み歯（６）にあててカットする。
【０００６】
【発明の効果】
本発明を使用することによって、ロール紙の補充装着は挿入口よりロール紙挿着ですみ、ペーパーカットはスイッチボタンを押し自動的にくり出されるペーパーを長短自在に山形状刻み歯で楽にカットできる。
これにより片手の不自由な人や健常者にとってのロール紙補充やカット時のもどかしさ煩しさが解消できる。
【図面の簡単な説明】
【図１】本発明の斜視図
【符号の説明】
（１）ホルダー
（２）モーターボックス
（３）スイッチボタン
（４）円錐状筒体
（５）ロール紙挿入口
（６）山形状刻み歯
【図１】
2004081785.tif 000003
(57)【要約】［課題］　　　従来のアイアンヘッドよりも　ボールの飛距離を伸ばしボールの方向性をも　向上させる事を課題とし　それを実現し提供する。［解決手段］　トウ側（１）とヒール側（２）との間の従来のアイアンヘッドの打面下部（５）を削除し　底部のくぼみ（３）を具現した事を特徴とするアイアンヘッド。【選択図】　　図１
2004081782.tif 000002
【特許請求の範囲】
【請求項１】
トウ側（１）とヒール側（２）との間の従来のアイアンヘッドの打面下部（５）を削除し　底部のくぼみ（３）を実現　構成したアイアンヘッド
【発明の詳細な説明】
この発明は　ゴルフクラブのアイアンヘッドに関するものである。
その発明とは　従来のアイアンヘッドのトウ側（１）とヒール側（２）との間の従来のアイアンヘッドの打面下部（５）を削除し　底部のくぼみ（３）を具現する事に成功し　発明したものである。
従来のアイアンヘッドは　底部の面取り等により　振り抜きを良くする工夫がなされているが　従来の打面の最下部のライン（８）の形状により　ダブレば芝に突き刺さり　チョロボールになる。又　必要以上にターフを削り取るためにボールが飛ばないのである。更に　従来の打面の最下部のライン（８）が直接ボールに当たると　トップボールとなるのである。
加えて　ラフにおいては　従来の打面の最下部のライン（８）の形状により雑草が絡み易く　振り抜きが悪く　ボールと打面の間に雑草が噛みこみ　フライヤーなったり　全然ボールが飛ばなかったりするのである。
本発明は　これらの欠点を解消するのは勿論の事　更にその上に　従来のアイアンヘッドよりも　ボールの飛距離を伸ばし　方向性を確実に向上させる構造を発明したものである。
本発明の特徴は　トウ側（１）とヒール側（２）との間の　従来のアイアンヘッドの打面下部（５）を削除し　底部のくぼみ（３）を具現した事である。
こうする事によって　打面中央部の重量を削除する事により　削除した重量分だけ　トウ＆ヒール理論により（公知の理論）確実に　本発明のアイアンヘッドは従来のアイアンヘッドより　慣性モーメントが高くなる事が実証出来るのである。即ち　方向性の向上である。
更には　　削除した重量をバックフェース（７）のトウ側（１）とヒール側（２）に再配分する事により　更に慣性モーメントが向上するのである。
又　打面の前面を削除する事により　その削除した重量分だけ　重心深度が深くなる事は　自明の理である。
更には　前章で述べたように　その削除した重量分をバックフェース（７）のトウ側（１）とヒール側（２）に再配分する事により　更に重心深度が深くなるのである。
即ち　これは　インパクト時に　従来のアイアンヘッドより　よりボールに衝撃を与える事になり　従来のアイアンヘッドより　よりボールが遠くへ飛ぶ　と云う事の証しである。
又　本発明のアイアンヘッドは　底部のくぼみ（３）の形状により　芝に食い込む事も無く　又ラフにおいても　雑草の絡みも少なく　振り抜きが良い事は容易に理解できるものである。トップボールに関しては　本発明のアイアンヘッドの形状からも判るように　最初にトウ側（１）とヒール側（２）がソールし　ロフトにより　トップボールの出る余地がないのである。
これらの事は　総て　実際のコースで使用し　実証出来得た事を記述したものである
【図面の簡単な説明】
【図１】本発明の正面図
【図２】本発明のＡ−Ａ線断面図
【符号の説明】
１はトウ側　　　　　　２はヒール側　　　　３は底部のくぼみ
４はスコアーライン　　５は従来のアイアンヘッドの打面下部
６はシャフト取付け部
７はバックフェース
８は従来の打面の最下部のライン
【図１】
2004081782.tif 000003
【図２】
2004081782.tif 000004
(57)【要約】【目的】羽毛布団の動きを抑えて、ズレやベット下に落ちるのを防止する、掛け敷布団のポケットつき保温カバーを提供する。【構成】（イ）カバー（１）の裏面の衿部にポケット（３）を設ける。（ロ）カバー（２）の裏面の衿部の左右端にポケット（５ａ）（５ｂ）を設け、カバー（２）の裾部にポケット（４）を設ける。（ハ）カバー（１）の左右縁にフアスナー雄（６ａ）フアスナー雄（７ａ）を設ける。（ニ）カバー（２）の左右縁にフアスナー雌（６ｂ）フアスナー雌（７ｂ）を設ける。【選択図】　　　　図１
2004081767.tif 000002
【特許請求の範囲】
【請求項１】
（イ）カバー（１）の裏面の衿部にポケット（３）を設ける。
（ロ）カバー（２）の裏面の衿部の左右端にポケット（５ａ）（５ｂ）を設け
カバー（２）の裾部にポケット（４）を設ける。
（ハ）カバー（１）の左右縁に、フアスナー雄（６ａ）フアスナー雄（７ａ）を設ける。
（ニ）カバー（２）の左右縁に、フアスナー雌（６ｂ）フアスナー雌（７ｂ）を設ける。
以上の如く構成された、掛け敷布団のポケットつき保温カバー。
【発明の詳細な説明】
【０００１】
【産業上の利用分野】
この発明は、羽毛布団の動きによって足元がふわふわとして、跳ね上がったり、片寄って重くなったり、ベット下に落ちるのを防止するための、
掛け敷布団のポケットつき保温カバーに関するものである。
【０００２】
【従来の技術】
従来の布団カバーは、汚れを防ぐための袋カバーで、布団の動きを抑える機能つきのものは無かった。そのため、安定感がなくベット下に度々落ちた。
【０００３】
【発明が解決しようとする課題】
（イ）軽い布団が普及している現在、掛け布団の安定感がないために、動きによってベット下に落ちるのが、一晩に何回もあるため煩わしかった。
（ロ）暗い部屋で子供や老人に、ベットでの掛け直しは危険であった。
（ハ）冬場の寒い季節には、子供や老人に大変不愉快な思いをさせた。
本発明は、以上の欠点を解決するためになされたものである。
【０００４】
【課題を解決するための手段】
（イ）カバー（１）の裏面の衿部にポケット（３）を設ける。
（ロ）カバー（２）の裏面の衿部の左右端にポケット（５ａ）（５ｂ）を設け、カバー（２）の裏面の裾部にポケット（４）を設ける。
（ハ）カバー（１）の左右縁にフアスナー雄（６ａ）とフアスナー雄（７ａ）を設ける。
（ニ）カバー（２）の左右縁にフアスナー雌（６ｂ）とフアスナー雌（７ｂ）を設ける。
本発明は、以上の構成よりなる、掛け敷布団のポケットつき保温カバーである。
【０００５】
【作用】
（イ）本発明を使用する時は、カバー（２）を敷いてその上に敷布団、毛布、掛け布団の順に敷、布団一式の裾部をポケット（４）に入れる。
（ロ）カバー（１）のポケット（３）に毛布と掛け布団の衿部を入れる。
（ハ）両サイドのフアスナー（６ａ）（６ｂ）と（７ａ）（７ｂ）を合わせて閉める。したがって、裾部の足元が跳ね上がらず、両サイドも隙間がないため左右にズレることなく、またベット下に落ちるのも防止できる。
【０００６】
【実施例】
以下、本発明の実施例をのべる。
（イ）カバー（１）の裏面の衿部にポケット（３）を設ける。
（ロ）カバー（２）の裏面の衿部の左右端にポケット（５ａ）（５ｂ）を設け、カバー（２）の裾部にポケット（４）を設ける。
（ハ）カバー（１）の左右縁にフアスナー雄（６ａ）雄（７ａ）を設ける。
（ニ）カバー（２）の左右縁にフアスナー雌（６ｂ）雌（７ｂ）を設ける。
本発明は、以上の構成よりなっている。
本発明を使用する時は。
（イ）カバー（２）をベツトに、又は畳のうえに敷その上に敷布団、毛布、掛け布団を敷いて布団一式の裾部をポケット（４）の中に入れる。
（ロ）カバー（１）を布団の上に被せ、フアスナー雄（６ａ）とフアスナー雌（６ｂ）を裾部で合わせて、布団の三分二ぐらいまてら閉める。
（ハ）フアスナー雄（７ａ）とフアスナー雌（７ｂ）を裾部で合わせて、布団の三分の二位まで閉める。
（ニ）カバー（１）の襟元をめくりポケット（３）を出し、掛け布団と毛布の衿部をまとめてポケット（３）の中に入れる。
（ホ）カバー（１）の襟元をもどして、両側のフアスナーを閉める。
このようにしてカバーのポケットに、布団の衿部と裾部を入れることで動きを止めることが出来る。さらに、両サイドをフアスナーで閉めることで三方を包む、したがって、布団がはみ出たり裾元がふわふわと跳ね上がらない。
（ヘ）タオルケットのような柔らかい肌掛けは、衿部をそのままにして、左右端をポケット（５ａ）（５ｂ）に入れる。
（ト）裾部の足元からも、両サイドからも風が入らず、左右にズレることも、裾部の足元も跳ね上がらず、ベット下に落ちるのも防止できる。
【０００７】
【発明の効果】
本発明を使用することによって、羽毛布団の動きを抑えることが出来た。
したがって、布団がベット下に落ちるのを防止できる。しかも、畳に敷いても使用出来るため、だれでも使用出来る。
【図面の簡単な説明】
【図１】本発明の平面図
【図２】本発明の一部使用状態を示す平面図
【図３】本発明の使用状態を示す平面図
【符号の説明】
１　カバー
２　カバー
３　ポケット
４　ポケット
５ａ　ポケット
５ｂ　ポケット
６ａ　雄フアスナー
６ｂ　雌フアスナー
７ａ　雄フアスナー
７ｂ　雌フアスナー
【図１】
2004081767.tif 000003
【図２】
2004081767.tif 000004
【図３】
2004081767.tif 000005
(57)【要約】【課題】現在販売されている突起物付き指輪の突起物は半丸、又は円錐半丸で全て同じ大きさ、もしくは大、中、小、と整えられた配置が施された物で、指への刺激が少なく、又幅広の指輪等は、指と指輪の間に水、汗が溜まり易く実用的でない。【解決手段】ファッション性のある指輪としてお洒落を楽しみながら付けられる様にデザイン、カットが施された物で、指輪の土台１に対して５の様にカットがしてある為、４の様に幅広でも指と指輪の間に水、汗が溜まる事も無い。２を大小様々な球状にした事で指への当りも良く上下左右色々な角度から刺激をする様に配置を換える。指輪を３の様にカットした事で、サイズ調節が自由に出来る実用的な健康指輪となる。【選択図】　図１
2004081763.tif 000002
【特許請求の範囲】
【請求項１】
指輪の土台（１）の内径面に球状の突起物（２）を配置して指輪を付けた指を刺激する事を特徴とする健康指輪
【請求項２】
突起物（２）はすべて大きさが異なる事で指へ効果的な刺激を得られるように作られた請求項１記載の健康指輪
【請求項３】
突起物（２）の配置間隔をすべて変える事で指を上下左右様々な角度から刺激する事が出来るように作られた請求項１、２記載の健康指輪
【請求項４】
東洋医学では経絡は体中を走り、経絡上にツボは存在すると言われている。健康指輪は両手中指に付ける事でより良い効果を得ることが出来る為、両手中指に付ける事を基本としている。指は利き手によって、又朝晩やその日の体調により指の太さも違う為、指の手の平側に当る方を縦にカット（３）した事で指輪のサイズ調節が自由に出来る様に作られた請求項１、２、３記載の健康指輪
【請求項５】
指輪の土台（１）の幅（４）を１センチにした事で、指を刺激する面を多くする様に作られた請求項１、２，３、４記載の健康指輪
【請求項６】
指輪の土台（１）の外径面に施してあるデザインをカットし空洞化（５）する事で、請求項５記載の幅広の指輪でも指と指輪の間に水、汗が溜まる事が無い様に作られた請求項１、２，３，４、５記載の健康指輪
【請求項７】
指輪の土台（１）の素材をシルバー９２５で作った耐久性のある請求項１２、３、４、５、６記載の健康指輪
【発明の詳細な説明】
【０００１】
【発明の属する技術分野】
本発明は、指輪の内径面に全て大きさの異なる球状の突起物を配置して、上下左右様々な角度から指を刺激する様に配置をし、デザイン、カットでファッション性のあるフリーサイズに作られた、実用的な健康指輪。
【０００２】
【従来の技術】
従来の突起物付き指輪は、突起物の大きさが全て同じか、又は大、中、小で列を整えた配置でかつ、デザインもらせん状の指輪や、細い甲丸指輪、幅広の平打ち指輪等である。（例えば実用新案登録第３０７９８９６号参照）
【０００３】
【発明が解決しようとする課題】
しかし、これらの指輪は突起物の形、大きさ、配置を考えた場合、指への刺激効果が弱く、又、幅広の平打ち指輪の場合、指と指輪の間に水、汗が溜まり易くデザインもファッション性に乏しく実用的要素に欠けている。
【０００４】
【発明を解決する為の手段】
上記目的を解決するため、突起物を球状にした事で指への当りもやわらかく、全ての突起物の大きさが違う事と、突起物の配置間隔全てを変えた事で上下左右様々な角度から指を刺激する為、刺激効果を高める。又、東洋医学では、経絡は体中を走ると言われる為、指輪を両手中指に付ける事で、より良い効果を得る事が出来る。指は利き手によっても、又朝晩やその日の体調によっても指の太さが違う為、指輪の一部をカットする事で、指輪のサイズを自由に調節が出来る様にし、又幅広の指輪でもデザインをカットしてある為、指と指輪の間に水、汗が溜まる事も無く、デザインもファッション性に富んだ実用的な健康指輪にした事。
【０００５】
【発明の作用効果】
指輪を両手中指に付ける事で、自律神経の働きを調節し、血流を良くする事で脂肪燃焼を活発にし、コレステロール、体脂肪の数値を下げる事が出来る。又血流が良くなる事で、肩こり、便秘、腰痛、倦怠感、鼻炎、不眠症、頭痛など様々な症状を和らげる事が出来る。
【図面の簡単な説明】
【図１】健康指輪の外観斜視図である。
【図２】健康指輪の断面図である。
【図３】健康指輪の内径を示す平面図である。
【図４】健康指輪の外径を示す平面図である。
【図５】内径に配置してある突起物を示す断面図である。
【符号の説明】
１指輪の土台
２突起物
３縦断カット面
４幅
５外径カット面
【図１】
2004081763.tif 000003
【図２】
2004081763.tif 000004
【図３】
2004081763.tif 000005
【図４】
2004081763.tif 000006
【図５】
2004081763.tif 000007
(57)【要約】【課題】乳児にとって不快感を起こさせる臭気の香料による香料印刷を施した渦巻き状の模様のシールを、母体の乳房に貼ることによって、乳児の視覚と嗅覚に母親の乳房への違和感を与え、卒乳をスムーズに促すことができる、卒乳のための乳房に貼るシールを提供する。【解決手段】台紙（２）の表面に、渦巻き状に切り込みを入れた渦巻き模様紙（１）を形成し、渦巻き模様紙（１）の裏面は粘着材（７）を施し、渦巻き模様紙（１）の表面には、乳児にとって不快感を起こさせる臭気の香料（６）による香料印刷を施したことを特徴とする。【選択図】　　図２
2004081761.tif 000002
【特許請求の範囲】
【請求項１】
台紙（２）の表面に、渦巻き状に切り込みを入れた渦巻き模様紙（１）を形成し、渦巻き模様紙（１）の裏面は粘着材（７）を施し、渦巻き模様紙（１）の表面には、乳児にとって不快感を起こさせる臭気の香料（６）による香料印刷を施した、卒乳のための乳房に貼るシール。
【発明の詳細な説明】
【０００１】
【発明の属する技術分野】
この発明は、乳児の視覚と嗅覚に、母親の乳房（８）への違和感を感じさせることにより卒乳をスムーズにすることができる、乳児の卒乳のための乳房に貼るシールに関するものである。
【０００２】
【従来の技術】
従来より、乳児の卒乳をする時の方法として、乳房（８）に筆記具で「へのへのもへじ」の顔を描いて見せたり、からしやわさび等の刺激物を乳頭（１０）にぬり、乳児に与えることで、味覚から違和感を感じさせるようにしていた。
【０００３】
【発明が解決しようとする課題】
これは次のような欠点があった。
イ．　乳房（８）に顔をかく時、水性ペンを使用すると、汗でインクが下着に付着するし、油性ペンを使用すると消すのに手間がかかる。
ロ．　からしやわさび等の刺激物を乳頭（１０）にぬると、乳頭（１０）にも刺激感が生じるし、下着に付着するため前もってぬっておくことができない。
ハ．　からしやわさび等の刺激物を乳児になめさせることは衛生上好ましくない
本発明は、これらの欠点を解決するために発明されたものである。
【０００４】
【課題を解決するための手段】
台紙（２）の表面に、渦巻き状に切り込みを入れた渦巻き模様紙（１）を形成する。渦巻き模様紙（１）の裏面は粘着材（７）を施し、台紙（２）から離脱自在にする。渦巻き模様紙（１）の表面に、漢方薬やにんにく等の乳児にとって不快感を起こさせる臭気の香料（６）による香料印刷を施す。
本発明は、以上の構成よりなる卒乳のための乳房に貼るシールである。
【０００５】
【発明の実施の形態】
以下、本発明の実施の形態について説明する。
台紙（２）の表面に、渦巻き状に切り込みを入れた渦巻き模様紙（１）を形成する。渦巻き模様紙（１）の裏面は粘着材（７）を施し、台紙（２）から離脱自在にする。渦巻き模様紙（１）の表面に、漢方薬やにんにく等の、乳児にとって不快感を起こさせる臭気の香料（６）による香料印刷を施す。香料印刷とは、香料（６）をマイクロカプセル（４）に封じ込め、インク（３）に加工し印刷することをいう。模様などのオフセット印刷の後で、必要部分にのみスクリーン印刷をするのが一般的な香料印刷の方法である。インク（３）部分を指先（５）等でこすることにより、マイクロカプセル（４）が破壊され、封じ込ませた香料（６）が飛散し、においが発生するしくみである。
本発明は、以上のような構造でこれを使用するときは、はじめに渦巻き模様紙（１）の中心部分から、乳輪（９）の外側に貼り付ける。この時、乳児の口に含まない部分から、貼り付けることとする。そこから渦をえがくように乳房（８）に貼り付ける。渦をえがいた線状のシールなので、立体的な乳房（８）にも貼りやすい。また乳房（８）の大小の個人差に関わりなく貼ることができる。
【０００６】
【発明の効果】
シールなので事前に貼っておくことができるし、必要によってはがすことができる。また下着に付着物もつかない。乳房（８）の渦巻き模様紙（１）により乳児に視覚的に違和感を与え、香料（６）により嗅覚からも違和感を与えることができる。シールは乳輪（９）の外側から貼ることにより、乳児の口に入ることもない。よって本発明を使用することによって従来の課題を克服し、卒乳をスムーズに促すことができる。
【図面の簡単な説明】
【図１】本発明の正面図である。
【図２】本発明の断面図である。
【図３】本発明の使用状態を示す斜視図である。
【符号の説明】
１　　渦巻き模様紙
２　　台紙
３　　インク
４　　マイクロカプセル
５　　指先
６　　香料
７　　粘着材
８　　乳房
９　　乳輪
１０　乳頭
【図１】
2004081761.tif 000003
【図２】
2004081761.tif 000004
【図３】
2004081761.tif 000005
(57)【要約】【課題】従来、衣類乾燥機は２時間ほど時間費やし、電気も多く使用した、衣類真空乾燥機は１０分で衣類を乾燥させ電気代も少なくなる。同様に容器を大型にすれば布団・毛布・枕・ぬいぐるみ等も１０分で乾燥させ電気代も少なくなりダニも死滅させる事が出来る。【解決手段】ボディ１を鉄製の球状にし、真空ポンプ２で空気を抜く、その時衣類が冷え凍結しない為に洗濯物が入るカゴ３をゆっくり回転させ投光器型ヒータ４で衣類を温める。【選択図】　図４
2004081766.tif 000002
【特許請求の範囲】
【請求項１】
球状の容器内を真空にし、衣類をすばやく乾燥させる衣類乾燥機。
【請求項２】
衣類の水分が凍り付かないようカゴを回転させ、投光器型ヒータで内部を温める。
【請求項３】
球状の容器を多少大型にし、容器内を真空にすると、布団・毛布・枕・ぬいぐるみ等もすばやく乾燥させ、同時にダニを死滅する布団乾燥機。
【発明の詳細な説明】
【００１】
【発明の属する技術分野】
本発明は、鉄製の球状の内部を真空ポンプで真空にし脱水後の洗濯物または布団をすばやく乾燥させる、その時衣類に残った水分が凍結しないようカゴをゆっくり回転させ投光器型ヒータで衣類を温める。
【００２】
【従来の技術】
従来、衣類乾燥機は乾燥時間が２時間ほどかかり電気代もかかった、布団乾燥機も乾燥時間が２時間ほどかかり電気代もかかりダニは死滅しなかった。
【００３】
【発明が解決しようとする課題】
従来は衣類を乾燥するのに２時間と電気代がかかった、衣類真空乾燥機だと予想１０分で乾燥し電気代も少なくすむ。
布団も乾燥するのに２時間と電気代がかかりダニは死滅しなかった、衣類真空乾燥機だと予想１０分で乾燥し電気代も少なくダニも死滅する。
【００４】
【発明の実施の形態】
本発明は１０分で衣類を乾燥し電気代も少なくなる事を可能にした、容器を大型にすれば布団も１０分で乾燥し電気代も少なくなりダニも死滅する事を可能にした。
それを図面について説明すれば、ボディ１鉄製の球状の内部を真空ポンプ２で空気を抜く、その時衣類が冷えない為に洗濯物が入るカゴ３をゆっくり回転させ、投光器型ヒータ４で衣類を温めるのである。
【００５】
【発明の効果】
衣類真空乾燥機を使用すれば、洗濯物や布団を外に干すのが恥ずかしい人や、下着泥棒の被害に会わないようにしたい人、時間の無駄を無くし、従来の乾燥機に比べ電気代も節約になり、布団・毛布・枕・ぬいぐるみ等の中に居るダニを死滅させる事が出来る。
【図面の簡単な説明】
【図１】衣類真空乾燥機の正面図である。
【図２】衣類真空乾燥機の裏面図である。
【図３】衣類真空乾燥機の側面図である。
【図４】衣類真空乾燥機の横断面図である。
【図５】衣類真空乾燥機の正面断面図である。
【符号の説明】
１　ボディ、鉄製の球
２　真空ポンプ
３　洗濯物が入るカゴ
４　投光器型ヒータ
５　ふた
６　ふた開閉用フック
７　蝶番
８　強化ガラス
９　点検口
１０　点検口開閉用フック
１１　ボルト
１２　Ｌアングル
１３　裏ぶた
１４　カゴ回転用モータ
【図１】
2004081766.tif 000003
【図２】
2004081766.tif 000004
【図３】
2004081766.tif 000005
【図４】
2004081766.tif 000006
【図５】
2004081766.tif 000007
(57)【要約】　　　（修正有）【課題】カーテン固定具を額縁にネジ釘及び釘で固定し、カーテンを挟み込む様にして、ワンタッチで容易に窓等の端部に固定が出来るカーテン固定具を提供する。【解決手段】カーテン固定具１１の材質は金属材やプラスチックの硬質材で、挟み込式のためカーテンを開いたり挟み込の動作をワンタッチで出来る仕組で手間も少なく束ねるふさも、いらなくてすみ、ふさを使用する場合のための、ふさ掛け部５をカーテン挟み込用アーム部１の一部分に設け、またカーテンをこのカーテン固定具１１に挿入した後に、カーテンの一部がカーテン固定具１１よりはみ出さない様に、はみ出し防止部４を有したことを特徴とする。【選択図】図１
2004081794.tif 000002
【特許請求の範囲】
【請求項１】
本発明のカーテン固定具は、カーテン挟み込用アーム部と、額縁に固定するための固定部と、その固定部に額縁と一体にする少なくとも２箇所以上のネジ釘及び釘用穴を有したもので、カーテンをカーテン挟み込部に挿入した後に、はみ出しを防ぐための、はみ出し防止部を少なくとも１箇所以上有し、ふさを使用する場合のふさ掛け部を有する仕組の構造体からなるカーテン固定具。
【発明の詳細な説明】
【０００１】
【発明の属する技術分野】
本発明は建築物の内部の開口部に使用するカーテンでカーテンを端部で挟み込式に固定するカーテン固定具に関するものである。
【０００２】
【従来の技術】
一般には建築物の窓等の内部に使用するカーテンの束ね固定はふさ使用して、ふさ掛けに取り付けるが、束ね部分がゆるくなったりで外観状一定しない束ね固定方法であった。
【０００３】
それに特にインテリアとしても、束ね部分がゆるんだ状態である場合は室内のインテリアとしての難があった。
【０００４】
【発明が解決しようとする課題】
本発明のカーテン固定具を額縁にネジ釘及び釘で固定し、カーテンを挟み込む様にして、ワンタッチで容易に窓等の端部に固定ができるカーテン固定具を提供することにある。
【０００５】
【課題を解決するための手段】
本発明のカーテン固定具の材質は金属材やプラスチックの硬質材で、挟み込式のため、カーテンを開いたり挟み込の動作をワンタッチで出来る仕組の方法で手間も少なく束ねるふさも、いらなくてすむものである。
ふさを使用する場合のための、ふさ掛け都をカーテン挟み込用アーム部の一部分に設けたものである。
【０００６】
カーテンをこのカーテン固定具に挿入した後に、カーテンの一部がカーテン固定具よりはみ出さない様に、はみ出し防止部を有したものである。
【０００７】
【発明の実施の形態】
本発明のカーテン固定具を使用することで、カーテンをワンタッチで出し入れの出来る挟み込み部の働きにより、カーテンの固定状態がいつも同じのカーテン固定が出来る。
【０００８】
【実施例】
以上本発明に係るカーテン固定具の概略構造を示す図１は斜視図、図２は正面図、図３は側面図である。このカーテン固定具１１はカーテン８を挿入固定するためのカーテン挟み込用のアーム部１を有し、額縁７に固定部２のネジ釘及び釘用穴３を利用してネジ釘及び釘６で固定する仕組である。
カーテン固定具１１に挿入したカーテン８が、カーテン挟み込部１０からはみ出さない様に、はみ出し防止部４を有する構造体である。。
壁９の表面の状態によっては壁９の表面にカーテン挟み込用アーム部１と同じくらいの大きさの裏面に粘着層の付いたプラスチック性のシートを張り付けることもある。
【０００９】
カーテン８を使用することによって、ふさを使用することも出来る様にカーテン挟み込部用アーム部１の一部分にふさ掛け部５を有したカーテン固定具１１である。
【００１０】
【発明の効果】
以上の説明から本発明によれば、次のごとき優れた効果を発揮される。
本発明のカーテン固定具を使用することでワンタッチでカーテンの挟み込固定が出来るため、挟み込部の出し入れがスムーズに出来るカーテン固定具である。
【図面の簡単な説明】
【図１】本発明のカーテン固定具の一例を示す斜視図である。
【図２】本発明のカーテン固定具の一例を示す正面図である。
【図３】本発明のカーテン固定具の一例を示す側面図である。
【図４】本発明のカーテン固定具の取り付け例を示す側面図である。
【図５】本発明のカーテン固定具の取り付け例を示す正面図である。
【符号の説明】
１　カーテン挟み込用アーム部
２　固定部
３　ネジ釘及び釘用穴
４　はみ出し防止部
５　ふさ掛け部
６　ネジ釘及び釘
７　額縁
８　カーテン
９　壁
１０　カーテン挟み込部
１１　カーテン固定具
【図１】
2004081794.tif 000003
【図２】
2004081794.tif 000004
【図３】
2004081794.tif 000005
【図４】
2004081794.tif 000006
【図５】
2004081794.tif 000007
(57)【要約】【課題】排出されるドレンの全熱量の回収を可能にする。【解決手段】ボイラＢから発生した蒸気Ｓを蒸気使用機器Ｍに供給し、蒸気使用機器Ｍから排出された蒸気ＳをスチームトラップＳＴでドレンＤに変換し、ドレンＤをドレンタンクＤＴに貯蔵するとともにドレンタンクＤＴからポンプＰによりボイラＢに供給するクリーニング工場の蒸気利用装置において、ドレンタンクＤＴ’を密閉形に形成するとともに、ドレンタンクＤＴ’でドレンＤの一部が蒸発して発生するフラッシュ蒸気ＦＳを蒸気配管ＳＰを介してフラッシュ蒸気利用機器Ｍ’に供給することを特徴とする。【選択図】　図１
2004081718.tif 000002
【特許請求の範囲】
【請求項１】
ボイラから発生した蒸気を蒸気使用機器に供給し、該蒸気使用機器から排出された蒸気をスチームトラップでドレンに変換し、該ドレンをドレンタンクに貯蔵するとともに該ドレンタンクからポンプにより前記ボイラに供給するクリーニング工場の蒸気利用装置において、前記ドレンタンクを密閉形に形成するとともに、該ドレンタンク内で前記ドレンの一部が蒸発して発生するフラッシュ蒸気を蒸気配管を介してフラッシュ蒸気利用機器に供給することを特徴とするクリーニング工場の蒸気利用装置
【請求項２】
蒸気配管にバルブを設けてドレンタンク内の圧力を調整する請求項１記載のクリーニング工場の蒸気利用装置
【発明の詳細な説明】
【０００１】
【発明が属する技術分野】
この発明は、排出されるドレンの全熱量の回収を可能にするクリーニング工場の蒸気利用装置に関するものである。
【０００２】
【従来の技術】
クリーニング工場においては、連続洗濯機、洗濯脱水機、乾燥機、ロールアイロナ等が設置されているが、これらの機器は、高温蒸気を顕熱として利用している（以下、蒸気使用機器という。）。すなわち、第２図に示すように、ボイラＢで発生した高温蒸気Ｓ（例えば、圧力７Ｋｇｆ／ｃｍ２・Ｇ、温度約１７０℃）を蒸気使用機器Ｍに供給し、蒸気使用機器Ｍ内で、洗濯水を温水にしたり、洗濯物を乾燥したりしている。そして、蒸気使用機器Ｍから排出された蒸気Ｓは、スチームトラップＳＴでドレンＤに変換されている。ドレンＤは、スチームトラップＳＴとドレンタンクＤＴの差圧により、スチームトラップＳＴからドレンタンクＤＴに供給され、貯蔵されるとともに、ドレンタンクＤＴからポンプＰによりボイラＢに供給されている。
【０００３】
【発明が解決しようとする課題】
しかしながら、この従来技術では、スチームトラップＳＴとドレンタンクＤＴとで差圧を設けるために、ドレンタンクＤＴは密閉形ではなく、大気解放形になっており、その圧力は大気圧である。このため、ドレンタンクＤＴ内のドレンＤの一部が蒸発して発生するフラッシュ蒸気（再蒸発蒸気）は、大気に放出されて、スチームトラップＳＴから排出されるドレンＤの全熱量が回収されていないとともに、ドレンＤの温度を１００℃以上にできないという課題がある。
【０００４】
この発明は、このような従来技術の課題を解決する目的でなされたものである。
【０００５】
【課題を解決するための手段】
上記課題を解決するための手段を、実施の一形態に対応する図１を用いて以下、説明する。この発明は、ボイラＢから発生した蒸気Ｓを蒸気使用機器Ｍに供給し、蒸気使用機器Ｍから排出された蒸気ＳをスチームトラップＳＴでドレンＤに変換し、ドレンＤをドレンタンクＤＴに貯蔵するとともにドレンタンクＤＴからポンプＰによりボイラＢに供給するクリーニング工場の蒸気利用装置において、ドレンタンクＤＴ’を密閉形に形成するとともに、ドレンタンクＤＴ’でドレンＤの一部が蒸発して発生するフラッシュ蒸気ＦＳを蒸気配管ＳＰを介してフラッシュ蒸気利用機器Ｍ’に供給することを特徴とするものである。
【０００６】
このように構成されたものにおいては、フラッシュ蒸気ＦＳは、大気に放出されることなく、フラッシュ蒸気利用機器Ｍ’に供給される。
【０００７】
【発明の実施の形態】
図１は、この発明の実施の一形態を示す構成図である。図１において、ＤＴ’はドレンタンク、ＳＰは蒸気配管、Ｍ’はフラッシュ蒸気利用機器である。
【０００８】
ドレンタンクＤＴ’は密閉形に形成されている。ドレンタンクＤＴ’は、蒸気配管ＳＰを介してフラッシュ蒸気利用機器Ｍ’に連通している。フラッシュ蒸気利用機器Ｍ’は、フラッシュ蒸気を液体（例えば、水、洗濯水）に直接、与えて高温にする温水器などである。
【０００９】
蒸気配管ＳＰの途中には、図示しないバルブが設けられて、その調整によってドレンタンクＤＴ’の圧力、例えば、圧力２ｋｇｆ／ｃｍ２・Ｇに設定する。これによって、ドレンＤをスチームトラップＳＴからドレンタンクＤＴ’に供給するために必要なスチームトラップＳＴとドレンタンクＤＴ’の差圧を設定するとともに、ドレンＤの温度を１００℃以上、例えば、温度約１３３℃にする。
【００１０】
ドレンタンクＤＴ’内のドレンＤの一部が蒸発して発生するフラッシュ蒸気ＦＳは、大気に放出されることなく、フラッシュ蒸気利用機器Ｍ’に供給されて、液体を高温にする。したがって、スチームトラップＳＴから排出されるドレンＤの全熱量の回収が可能になり、ドレンＤの温度を１００℃以上にすることができる。
【００１１】
【発明の効果】
以上説明してきたように、この発明は、ボイラから発生した蒸気を蒸気使用機器に供給し、該蒸気使用機器から排出された蒸気をスチームトラップでドレンに変換し、該ドレンをドレンタンクに貯蔵するとともに該ドレンタンクからポンプにより前記ボイラに供給するクリーニング工場の蒸気利用装置において、前記ドレンタンクを密閉形に形成するとともに、該ドレンタンク内で前記ドレンの一部が蒸発して発生するフラッシュ蒸気を蒸気配管を介してフラッシュ蒸気利用機器に供給することを特徴とするものである。それゆえ、フラッシュ蒸気は、大気に放出されることなく、フラッシュ蒸気利用機器に供給される。したがって、この発明によれば、スチームトラップから排出されるドレンの全熱量の回収が可能になり、ドレンの温度を１００℃以上にできるという効果が得られる。
【図面の簡単な説明】
【図１】この発明の実施の一形態を示す構成図である。
【図２】従来技術を示す構成図である。
【符号の説明】
ＤＴ’　ドレンタンク
ＳＰ　　蒸気配管
Ｍ’　　フラッシュ蒸気利用機器
【図１】
2004081718.tif 000003
【図２】
2004081718.tif 000004
(57)【要約】【課題】従来の盲人用案内杖においては、混雑した街中や夜間では、通行中の人に案内杖の存在を認識されにくく、対面衝突を起こし易かった。【解決手段】案内杖に発光体を装着し、案内杖の存在を通行人に認識し易くし、衝突を未然に防止するようにすると供に、発光体を装着することによって生ずる杖への負荷を軽減するために、杖に装着する発光体と電源箱類を分離して、電源箱を衣服類にて携行するようにした。【選択図】　　　　　　　　図１
2004081716.tif 000002
【特許請求の範囲】
【請求項１】
盲人用案内杖において、杖の先端部から把手までの間に、電池を電源とする発光体を設け、杖を使用中に該発光体が常時または間欠的に発光するようにし、電池類および電池ケ−ス類を杖に設けた発光体から通電線を介し杖から隔離して、人体の被服類に保持するようにし、杖にかかる負荷を軽減するようにした盲人用案内杖。
【発明の詳細な説明】
【０００１】
【発明の属する技術分野】
本発明は、盲人などが安全に歩行するために用いる案内杖に関し、健常者が盲人などの歩行に障害にならないように事前に認識できるような案内杖の改良に関する。
【０００２】
【従来の技術】
従来の案内杖においては、杖を白色に塗装したり、乱反射体（スコッチライト）を貼って杖の存在を知らせるようにしていた。
【０００３】
【発明が解決しようとする課題】
従来の杖のように、杖を白色に塗装したり、乱反射体を貼っただけでは余程杖に接近したり、通行人が疎らなときには有効であるが、混雑な時や夜間においては効果が薄いので、人目に付き易くし、しかもその装置が杖を操作するのに負荷にならないようにする。
【０００４】
【課題を解決するための手段】
上記目的を達成するために、本発明の発光体を有する盲人用案内杖においては、杖に電池類による発光体を設け、通行人に事前に遠方からでも案内杖の位置を認識させ、杖すなわち盲人を避けて通行し、妨害しないようにするものである。
【０００５】
さらに、案内杖は常に手によって左右前後に移動させ、その感触によって安全を確認するものであるから、できるだけ軽量化して手に負荷を掛けないようにしなければならないので、電池やケ−ス類などを衣服やベルト類に装着するようにしている。
【０００６】
また、杖に装着され分離されている発光体と電池類は、通電線を介しているので通電線の長さは、杖の操作に障害の無い範囲にして連結している。
【０００７】
【発明の実施の形態】
【０００８】
【実施例】
本発明の実施の形態を実施例にもとずき図面を参照に説明する。
【０００９】
図１は、本発明の発光体を有する盲人用案内杖を使用している状態を示し、発光体Ａを装着した杖１を操作しており、杖１と通電線４ａ．４ｂや牽引鎖５とを介して連結している電源箱３は使用者即ち盲人Ｂの衣服のポッケト１３に入れ携行され、歩行している状態である。
【００１０】
電源箱３を杖１に装着すれば杖１を持つ手に負荷がかかり、杖１の操作が困難になるので、衣服やベルト類に装着させるのであって、牽引鎖５は通電線４ａ．４ｂが杖１の移動や引っかかりによって伸縮して破損するのを防止するものであり、通電線４ａ．４ｂの延伸を制限しているが、鎖に限定するものではなくワイヤ−や紐類でもよい。
【００１１】
図２に示す電源箱３には、電池ケ−ス１２が固定され電池１０を装着していて該電池１０の陰陽両極の各々は、スイッチ１１を介して発光体Ａに通じる通電線４ａや直接に発光体Ａに通じる通電線４ｂに接続されている。
【００１２】
電源箱３は、電池１０の入れ替えやスイッチ１１のＯＮ，ＯＦＦの時に開口するのであって、杖１の通常の使用時には閉口していて、衣服のポッケト類に入れたり、ベルト類に装着するようになっている。
【００１３】
図３は、杖１の把手部分を示し、把手１４に接近して発光体Ａからの通電線４ａ．４ｂが出ていて、該通電線４ａ．４ｂは電源箱３の電池１０に接続されており、通電線４ａ．４ｂに接近して設けられ先端部が杖１に固着された牽引鎖５も他方の先端が電源箱３に固着されていて　　通電線４ａ．４ｂの延伸を防止している。
【００１４】
図４は、発光体Ａの実施例を示し、透明カバ−８に覆われた電球６が電源箱３からの通電線４ａと通電線４ｂが接続され、電源箱３内のスイッチ１１がＯＮになれば発光するようになっている。
【００１５】
図５は、発光体Ａの別の実施例を示し、透明カバ−８ａに覆われた発光ダイオ−ド７は、通電によって発光するものであって、電池１０の陽極側からの通電線４ａと陽極９ａが接続され、陰極側からの通電線４ｂが陰極９ｂと接続されていて、通電線４ａからの通電により極９ａから電子が極９ｂにとび発光するのである。
【００１６】
又、電子の所定量がとんで発光すると次に発光が一時休止し、再度電子がとんで発光するいわゆる間欠的に発光するようにもなっていて、発光色は各種選定できるものである。
【００１７】
以上が発光方式の例であって、これに限定するものではなく、図４，図５に示す透明カバ−８，８ａの形状も光を拡散する目的で凹凸ある形状にしてもよい。
【００１８】
【発明の効果】
本発明は、以上説明したように構成されているので、以下に記載されるような効果を発揮する。
【００１９】
従来のように杖を白色に塗装したり、乱反射体を貼っても混雑した人混みの中では杖の存在を通行人に意識させにくかったり、発光体が近くに無く乱反射体の効果を発揮出来なっかたり、特に夜間においては杖の存在を通行人に意識させることができないので、衝突することさえある。
【００２０】
また、杖自体はできるかぎり軽量化して、手に負荷をかけず操作を容易にする必要があるが、本発明では発光体以外は身に付けるようにしているので、負荷を最小限にしている。
【００２１】
発光体を身体に付ける方法もあるが、杖に装着する事により、杖と供に発光体も揺動し案内杖であることを通行人に認識させる効果がある。
【００２２】
【図面の簡単な説明】
【図１】本発明の発光体を有する盲人用案内杖を利用して歩行中の状態を示す斜視図である。
【図２】電源箱の構造を示す斜視図である。
【図３】杖からの通電線や牽引鎖の引き出しと連結を示す斜視図である。
【図４】杖に装着した電球による発光体の構造を示す断面図である。
【図５】杖に装着した発光ダイオ−ドによる発光体の構造を示す断面図である。
【符号の説明】
Ａ　　　　　　　　発光体
Ｂ　　　　　　　　盲人
１　　　　　　　　杖
３　　　　　　　　電源箱
４ａ　　　　　　通電線
４ｂ　　　　　　通電線
５　　　　　　　　牽引鎖
６　　　　　　　　電球
７　　　　　　　　発光ダイオ−ド
８　　　　　　　　透明カバ−
８ａ　　　　　　透明カバ−
９ａ　　　　　　陽極
９ｂ　　　　　　陰極
１０　　　　　　　　電池
１１　　　　　　　　スイッチ
１２　　　　　　　　電池ケ−ス
１３　　　　　　　　ポケット
１４　　　　　　　　把手
【図１】
2004081716.tif 000003
【図２】
2004081716.tif 000004
【図３】
2004081716.tif 000005
【図４】
2004081716.tif 000006
【図５】
2004081716.tif 000007
(57)【要約】【課題】患者の口を開いた状態を保って、口腔内を清拭するため、安価で照明機能を持ち、片手で操作でき、かつ取り扱いが衛生的な照明つき開口器を提供する。【解決手段】照明具装着用の穴５を有する本体２と、本体２の先端に突起部３を設けて穴５を閉じ、透過性の素材でできた開口器を特徴とする。【選択図】図１
2004081774.tif 000002
【特許請求の範囲】
【請求項１】
照明具挿入用穴の先端口を閉じ、そこに突起部を形成した開口器
【請求項２】
本体を透過性にした特許請求の範囲第１項記載の開口器
【発明の詳細な説明】
【０００１】
【発明の属する技術分野】本発明は、意識障害、開口障害、嚥下障害などがある患者の口腔内を清拭するため、開口を保持しながら、口腔内を照明する器具に関するものである。
【０００２】
【従来の技術】意識障害、嚥下障害などを有する患者は、開口保持が困難なことがある。そのような患者の口腔内は、不衛生となって雑菌が繁殖し、肺炎などの二次的疾病をもたらすことも多い。このため、外力で開口し、口腔内を清拭する必要がある。この目的のため、従来より歯科領域などでは開口器が使われてきたが（特許公開平７−２７５２０４）、やや高額であり，高齢者を擁する施設や家庭等で多数購入するには困難があった。また、器具の操作にも多少の手間を必要とした。
【０００３】
一方、口腔内は暗いため、清拭に際して照明を要する場合がある。従来の方法では、開口器と照明の２つの操作のために、両手がふさがり、清拭等が一人でやりにくかった。そのため、照明機能を持ち、かつこれらが一人の片手で簡単に操作できる開口器が考案されている（特許公開２００２−０４５３７６）。
【０００４】
【発明が解決しようとする課題】しかし、上記の開口器において照明具を挿入する嵌合孔は、照明具の光を口腔内に導くために貫通している。そのため、孔の先端口から唾液などが流入し、孔の内側や照明具の前部が汚染される恐れがある。使用後の水洗いなどの際、照明具の前部から水が浸入する恐れもある。また、開口を維持するための突起部が本体の側面に設けられているため、開口器自体がやや大型になっている。そのため、開口器を口に差し込んで清拭する際、開口器の両側から口腔内がやや見えにくかった。以上の課題を解決するには、照明と開口機能を併せもちながらも、開口器先端部の孔の内側や照明具が汚染されず、衛生的でより小型な開口器を開発する必要がある。
【０００５】
【課題を解決するための手段】そのためには，照明具挿入用穴の先端口を閉じること、そこに突起部を設けること、さらに本体を透過性にした開口器を発明すれば良い。
【０００６】
【発明の実施の形態】図１のように、照明具１を本体２に挿入する。本体２の先端には、歯間に挿入するための突起部３を形成し、かつ照明具挿入用の穴５の先端を閉じる。本体２が口腔の奥まで入らないよう、侵入止め用の片４を本体２の上面と底面に設ける。口腔内がより見えやすいように、本体片側側面にくぼみ６を設ける。本体２と突起部３は、照明具１の光を透過する素材で作るとともに、歯で噛んだときに歯自体への衝撃が減じるよう、やや弾性を持たせる。
【０００７】
【実施例】上下の歯で噛んだときの滑り止めとして、本体に刻み、畝、凸凹などをもうけてもよい。くぼみ６は両側側面や上面底面に設けてもよい。
【０００８】
【発明の効果】使用方法は、照明具１の電源を入れる。次に患者の歯間に、突起部３を先頭にして本体２を挿入し、そのまま開口保持しつつ、本体２と突起部３より光を透過させて、口内を照明する。
【０００９】
この開口器によって、照明具の前部や開口器の先端内側面が汚染されることがなくなる。水洗いの際の照明具への水の侵入も防げる。開口器も小型化でき、口腔清拭の際、口内がより見やすくなる。さらに照明具１を本体２から抜き、突起部３を口腔内に入れたあと、片４を粘着テープなどで患者の上下唇に貼り付ければ、麻酔中や意識障害中の患者の継続的な開口器としても使用できる。
【図面の簡単な説明】
【図１】は斜視図である。
【図２】は側面図である。
【図３】は上面図である。
【図４】は正面図である。
【符号の説明】
１は照明具。２は本体。３は突起部。４は片。５は穴。６はくぼみ。
【図１】
2004081774.tif 000003
【図４】
2004081774.tif 000004
【手続補正書】
【提出日】平成14年11月5日(2002.11.5)
【手続補正１】
【補正対象書類名】図面
【補正対象項目名】図１
【補正方法】変更
【補正の内容】
【図１】
2004081774.tif 000005
【手続補正２】
【補正対象書類名】図面
【補正対象項目名】図２
【補正方法】変更
【補正の内容】
【図２】
2004081774.tif 000006
【手続補正３】
【補正対象書類名】図面
【補正対象項目名】図３
【補正方法】変更
【補正の内容】
【図３】
2004081774.tif 000007